(57)【要約】【課題】包装資材の削減を図りながらも製品の未使用／使用状態を容易に区別できる生産性に優れた記録媒体のマルチパッケージ及び包装用粘着テープを提供する。【解決手段】複数の未使用のテープカセット１１が包装用粘着テープ１３によって収束されており、その上から共通の包装フィルム１４で一括包装されるマルチパッケージ１０において、包装用粘着テープ１３の表面には「未使用」の文字からなる表示１６がテープ長手方向に沿って連続的に施されており、開封後は包装用粘着テープ１３を表示１６ごとに分断して各テープカセット１１に貼着し、当該テープカセット１１が未使用であることを容易に区別させる。【選択図】        図１
2004231206.tif 000002
【特許請求の範囲】
【請求項１】
複数の未使用の記録媒体製品が共通の包装材で一括的に包装された記録媒体のマルチパッケージにおいて、
前記複数の記録媒体製品が、これら記録媒体製品に対して剥離可能に貼着された包装用粘着テープによって収束されており、
前記包装用粘着テープの表面には、前記記録媒体製品に関する個別情報を示す複数の表示がテープ長手方向に連続的に施されている
ことを特徴とする記録媒体のマルチパッケージ。
【請求項２】
前記包装用粘着テープには、隣接する前記複数の表示の間にミシン目が施されている
ことを特徴とする請求項１に記載の記録媒体のマルチパッケージ。
【請求項３】
前記表示が「未使用」を意味する情報である
ことを特徴とする請求項１に記載の記録媒体のマルチパッケージ。
【請求項４】
前記表示が、前記記録媒体製品の記録内容に関する情報である
ことを特徴とする請求項１に記載の記録媒体のマルチパッケージ。
【請求項５】
被包装物を複数束ねるための包装用粘着テープであって、
前記被包装物に対して剥離可能に貼着され、
表面には、前記被包装物に関する個別情報を示す複数の表示がテープ長手方向に連続的に施されている
ことを特徴とする包装用粘着テープ。
【請求項６】
隣接する前記複数の表示の間にはミシン目が施されている
ことを特徴とする請求項５に記載の包装用粘着テープ。
【請求項７】
前記表示が「未使用」を意味する情報である
ことを特徴とする請求項５に記載の包装用粘着テープ。
【発明の詳細な説明】
【０００１】
【発明の属する技術分野】
本発明は、記録媒体のマルチパッケージ及び包装用粘着テープに関し、更に詳しくは、包装資材の削減と製品の未使用／使用状態の区別とを両立できる記録媒体のマルチパッケージ及び包装用粘着テープに関する。
【０００２】
【従来の技術】
従来、例えば図８に示すように、ビデオテープカセットやオーディオテープカセット等の未使用の記録媒体製品のマルチパッケージ１００においては、収納ケース１０３に収納されたテープカセット１０２を個装フィルム１１１で包装した単品パッケージ１０１を、複数巻（例えば１０巻）まとめて包装フィルム１１２で一括的に包装する形態が多く採用されている（例えば下記特許文献１の図９参照）。
【０００３】
ところが、ユーザーにとってはマルチパッケージ１００及び単品パッケージ１０１それぞれに対して開封作業を必要とするのでその作業が煩わしく、また、開封に伴って包装フィルム１１１，１１２の廃棄量が嵩み、ゴミ量の増加にもつながっている。一方、メーカーにとっては包装工程及び包装資材の増加によるコスト増は避けられない。
【０００４】
そこで、個装フィルムを廃止し、例えば図９に示すように複数巻の収納ケース入りテープカセット１０２を帯巻フィルム１１０で収束した後、共通の包装フィルム１１２で一括的に包装する形態がある（例えば特許文献２の図５参照）。これにより包装資材の削減が図られるので、上記の問題は解消される。なお、この帯巻包装もせずに、共通の包装フィルム１１２のみで一括包装するだけのものもある。
【０００５】
【特許文献１】
実開平６−１４０９４号公報
【特許文献２】
特開２００１−８０６７５号公報
【０００６】
【発明が解決しようとする課題】
しかしながら、上述のように、包装の簡素化及びゴミ量の削減を目的として個装フィルム１１１を廃止し、帯巻フィルム１１０で束ねたり共通の包装フィルム１１２のみで一括包装する形態では、開封後における個々のテープカセットの未使用／使用状態の区別がつかなくなるという問題がある。
【０００７】
すなわち、従来用いられていた個装フィルムは、それが開封されていなければ未使用状態にあることが容易に判別できることから、個装フィルムは当該テープカセットの未使用／使用状態を区別する有力な手段となっていたにもかかわらず、個装フィルムの廃止に伴いこのようなユーザーにとっての利便性が損なわるという大きな問題を有している。
【０００８】
他方、上記特許文献１には、図１０に示すように、収納ケース１２２とテープカートリッジ１２１との間を「未使用」の文字が付された封印シール１２３にて剥離可能に接合し、包装フィルムを開封した後でも封印シール１２３で収納ケース１２２とテープカセット１２１とが接合されていれば当該テープカセット１２１が未使用であることを認識できるようにした構成が記載されている。
【０００９】
しかしながら、このような構成では、個々のテープカセットに対して上記構成の封印シール１２３をそれぞれ貼着する必要があるので、かえって生産性が低下し、マルチパッケージの生産性向上が望めなくなる。
【００１０】
本発明は上述の問題に鑑みてなされ、包装資材の削減を図りながらも製品の未使用／使用状態を容易に区別できる生産性に優れた記録媒体のマルチパッケージ及び包装用粘着テープを提供することを課題とする。
【００１１】
【課題を解決するための手段】
以上の課題を解決するに当たり、本発明の記録媒体のマルチパッケージは、複数の未使用の記録媒体製品が、これら記録媒体製品に対して剥離可能に貼着された包装用粘着テープによって収束されており、この包装用粘着テープの表面には、記録媒体製品に関する個別情報を示す複数の表示がテープ長手方向に連続的に施されていることを特徴とする。
【００１２】
本発明においては、開封の際、包装用粘着テープを剥がせば個々の記録媒体製品として単品化される。このとき、包装用粘着テープの表面に施された表示を各々分離して製品に再付着させることによって、各製品に関する個別情報を視認することが可能となる。
【００１３】
例えば、包装用粘着テープの表面に施される、製品に関する個別情報を示す表示が「未使用」を意味する文字情報であれば、開封直後の各々の記録媒体製品に対して当該表示を貼着することによって、貼着された製品が未使用状態であることを容易に区別できるようになる。
【００１４】
本発明によれば、包装用粘着テープを包装資材として本来的に用いながらも、開封後は製品の使用情報の表示媒体として機能させることができる。また、付随的に、包装資材のゴミ量削減にも貢献することができる。
【００１５】
更には、本発明に係る包装用粘着テープは、記録媒体製品の包装資材に適用されるに限らず、例えば乾電池など、外観的に製品の未使用／使用状態が区別できない種々の製品に対して広く適用することができる。
【００１６】
【発明の実施の形態】
以下、本発明の各実施の形態について図面を参照して説明する。
【００１７】
（第１の実施の形態）
図１〜図３は本発明の第１の実施の形態を示している。ここで、図１Ａ，Ｂはマルチパッケージの一態様を示す斜視図、図２は本発明に係る包装用粘着テープの拡大図、図３Ａ，Ｂはその一作用を説明する斜視図である。
【００１８】
本実施の形態では、マルチパッケージ１０は、記録媒体製品として、未使用の例えばＶＨＳ型式のビデオテープカセット（以下「テープカセット」という。）１１の５巻包装体で構成されている（図１Ａ，Ｂ）
【００１９】
テープカートリッジ１１は公知の構成を有し、記録媒体として磁気テープを巻装した一対のテープリールがカセットシェル内に回転可能に収容されてなるもので、未使用の状態でブック型の収納ケース１２に収納されている。各テープカセット１１はそれぞれ同じ姿勢に整列された状態で包装用粘着テープ１３で収束された後、共通の包装フィルム１４で一括的に包装されている。
【００２０】
なお、包装フィルム１４は、テープカートリッジ１１を多巻まとめて包装するために畳み込まれるもので、例えばポリプロピレンフィルム等の樹脂材料で構成され、熱融着によってシールされる。なお、図示せずとも包装フィルム１４には、商品外観としての各種デザインや商品説明などの印刷が施されている。
【００２１】
次に、本発明に係る包装用粘着テープ１３の詳細について説明する。
【００２２】
包装用粘着テープ１３は、例えば紙又は合成樹脂材料等で構成され、その裏面側には被包装体であるテープカセット１１及びその収納ケース１２に対して剥離及び再付着自在な粘着層が設けられている。
【００２３】
また、包装用粘着テープ１３の表面側には、記録媒体製品（テープカセット１１）に関する個別情報として、図２に示すように「未使用」の文字からなる複数の表示１６がテープ長手方向に連続的に例えば印刷等により施されている。包装用粘着テープ１３には、これらの表示１６を単位として個々に分離が容易なようにミシン目１５が施されている。
【００２４】
すなわち、本実施の形態における包装用粘着テープ１３は、本来的には、図１Ａ，Ｂに示すように複数巻のテープカセット１１を収束するための包装テープとして機能させ、開封後は当該包装用粘着テープ１３を適当な大きさに分離し、その断片１３Ａを図３Ａ，Ｂに示すように未使用のテープカセット１１（及び／又はその収納ケース１２）に対して個々に再付着できるようにしている。
【００２５】
図３Ａは、複数個の表示１６を一単位として分離した包装用粘着テープ１３の断片１３Ａをテープカセット１１と収納ケース１２との間に貼着してテープカセット１１を封印した例を示している。図３Ｂは、単一の表示１６を一単位として分離した包装用粘着テープ１３の断片１３Ａをテープカセット１１の背面側に付着した例を示している。
【００２６】
図３Ａ及び図３Ｂの何れの適用例においても、未使用の表示１６が付された断片１３Ａが貼着されることによって、テープカセット１１が未使用状態であることを外観的に容易に認識することが可能となる。
【００２７】
なお、断片１３Ａの貼着位置は上記の例に限られず、外部から視認できる位置であればどこでもよい。また、収納ケース１２上に貼着したり、一組のテープカセット１１及び収納ケース１２の各々に断片１３Ａを貼着してもよいし、テープカセット１１のフロントリッドを封印するように貼り付けても良い。
【００２８】
次に、以上のように構成される本実施の形態の作用について説明する。
【００２９】
図１Ａに示すように、収納ケース１２に収納した未使用のテープカセット１１を複数巻（本例では５巻）同じ姿勢で整列配置した状態で、包装用粘着テープ１３によって収束する。続いて、包装用粘着テープ１３によって収束された複数巻のテープカセット１１を図１Ｂに示すように共通の包装フィルム１４によって一括包装し、テープカセット１１のマルチパッケージ１０を構成する。
【００３０】
このように、テープカセット１１のマルチパッケージ１０の製造が、包装用粘着テープ１３による収束工程と、包装フィルム１３による包装工程だけであるので、各カセット毎に個装フィルムを施していた従来の包装方法に比べて包装資材を削減できるとともに、包装工程を簡素化することができる。これにより、マルチパッケージ１０の製造コストを大幅に低減でき生産性に優れたテープカセット１１のマルチパッケージ１０を得ることができる。
【００３１】
一方、上記構成のマルチパッケージ１０を購入したユーザーにとっては、マルチパッケージ１０の開封が必要な包装材が包装フィルム１４と包装用粘着テープ１３だけであるので開封作業が容易である。
【００３２】
また、包装用粘着テープ１３の開封は、その何れかのミシン目１５に沿って分断することによって容易に行うことができる。そして、包装用粘着テープ１３を各々の未使用表示１６ごとに分離し、その断片１３Ａを開封した個々のテープカセット１１（又はその収納ケース１２）上にそれぞれ貼り付け、当該テープカセット１１が未使用状態であることを訴求する表示媒体として機能させる。
【００３３】
更に、使用時あるいは使用後は、断片１３をテープカセット１１から剥離除去するだけでよい。これにより断片１３Ａの付着の有無によって容易にテープカセット１１の未使用／使用状態を区別することができる。
【００３４】
したがって、本実施の形態によれば、個々の記録媒体製品の未使用／使用状態の区別を、これら製品を束ねていた包装用粘着テープ１３の再利用によって賄うことができるので、ユーザーにおける製品の混同を抑制することができる。また、包装用粘着テープ１３の再利用により、開封時に発生する包装資材のゴミ量の低下に貢献することができる。
【００３５】
（第２の実施の形態）
続いて、図４は本発明の第２の実施の形態による包装用粘着テープ２３の一部表面を示している。
【００３６】
本実施の形態における包装用粘着テープ２３の表面には、記録媒体製品に関する個別情報を示す複数の表示２６ａ〜２６ｅがテープ長手方向に連続的に施されており、各表示の境界には分離が容易なようにミシン目２５が形成されている。
【００３７】
本実施の形態においても包装用粘着テープの使用方法は上述の第１の実施の形態と同様であるが、その表面に施される表示２６ａ〜２６ｅが上述の第１の実施の形態と異なっている。すなわち、本実施の形態では、包装用粘着テープ２３の各表示をユーザーの使用形態によって適宜使い分けることができるようになっている。
【００３８】
まず、「未使用」の文字情報でなる表示２６ａは、上述の第１の実施の形態と同様に、開封直後の記録媒体製品に貼着され、これが未使用であることを表示するためのものである。
【００３９】
次に、「使用中」の文字情報でなる表示２６ｂは、例えば、連続ドラマやシリーズ番組等を一巻のテープカセットに収録するときなどに用いられ、ユーザー本人あるいは第三者に当該テープカセットが使用中であることを認識させるために用いられる。
【００４０】
また、「使用可」の文字情報でなる表示２６ｃは、例えば、未使用のテープカセットや、重ね録りをしてもよいテープカセットに対して適用される。反対に、「使用不可」の文字情報でなる表示２６ｄは、当該テープカセットが使用中であったり記録内容の消去を望まないテープカセット等に適用することができる。
【００４１】
最後に、「未使用」及び「使用中」の２つの文字情報が並んで配置されている表示２６ｅに関しては、ペン等で何れか一方の表示に取消線を引いたり塗りつぶしたり、あるいは丸で囲む等して一方の表示のみを選択するような使い方ができる。
【００４２】
これらの表示２６ａ〜２６ｅは、包装用粘着テープ２３の長手方向に繰り返し設けられており、その順番は図示したような順番で繰り返し表示させたり、ひとつの表示を複数繰り返した後次の表示を施す等、適宜選定される。また、ブランクの項目も追加してユーザーに自由に表示を設定させるようにしてもよい。
【００４３】
（第３の実施の形態）
次に、図５は本発明の第３の実施の形態による包装用粘着テープ３３の一部表面を示している。
【００４４】
本実施の形態における包装用粘着テープ３３の表面には、記録媒体製品に関する個別情報を示す複数の表示３６ａ〜３６ｅがテープ長手方向に連続的に施されており、各表示の境界には分離が容易なようにミシン目２５が形成されている。
【００４５】
本実施の形態においても包装用粘着テープの使用方法は上述の第１の実施の形態と同様であるが、その表面に施される表示３６ａ〜３６ｅは上述の第１，第２の実施の形態と異なり、記録媒体製品（例えばテープカセット）に関する個別情報として、当該製品に記録されている情報の内容あるいはカテゴリーを示す表示が施されている。
【００４６】
すなわち、表示３６ａ〜３６ｅはそれぞれ「映画」、「音楽」、「ドラマ」、「バラエティ」及び「ドキュメント」というように番組別のインデックスとして用いられるようになっており、ユーザーによって各表示が使い分けられる。また、ブランクの項目も追加してユーザーに自由に表示を設定させるようにしてもよい。
【００４７】
以上、本発明の各実施の形態について説明したが、勿論、本発明はこれらに限定されることなく、本発明の技術的思想に基づいて種々の変形が可能である。
【００４８】
例えば以上の各実施の形態では、記録媒体製品としてＶＨＳ型式のビデオテープカセットを例に挙げて説明したが、勿論これだけに限られず、オーディオテープカセット、Ｖ８カセット、ＤＶ又はＤＶＭカセット等のテープ状記録媒体製品のマルチパッケージ、光ディスクや磁気ディスクあるいは光磁気ディスク等のディスク状記録媒体製品のマルチパッケージにも本発明は適用可能である。
【００４９】
例えば図６は、ディスク状記録媒体製品のマルチパッケージの一態様を示している。ディスク状記録媒体製品としてはディスク状記録媒体５１を収容したディスクカートリッジ５２が対応し、ジュエリーケースと称される透明な合成樹脂製のハードケース５３に収納されている。これをマルチパックする際には、図のように複数積み重ね、上述した構成の包装用粘着テープ１３で収束し、最後に包装フィルム５４で一括包装する。
【００５０】
また、上述の第１の実施の形態で説明した包装用粘着テープ１３は、記録媒体製品の収束用テープとして用いるに限らず、例えば図７に示すように複数本の乾電池製品６１のマルチパック用包装テープとして用いることもできる。乾電池の場合にもその未使用／使用済の区別を外観で行うことは不可能であるので、開封した新しい乾電池６１に対し、包装用粘着テープ１３を分離した未使用表示を貼着するようにすれば、それが未使用であることを容易に視認できるようになる。
【００５１】
乾電池製品以外にも、外観からでは未使用／使用中又は使用済みの区別がつきにくいその他の製品に対しても本発明の包装用粘着テープを効果的に活用することができる。例えば、外からインク残量を確認できないボールペンやサインペン等の筆記具、ノート類、ライター等のマルチパッケージ商品が該当する。
【００５２】
一方、「未使用」を意味する情報は、上述した「未使用」の文字に限らず、例えば「ＮＥＷ」や「ＵＮＵＳＥＤ」など、「未使用」を観念できる表示であれば何れのものも適用可能である。
【００５３】
【発明の効果】
以上述べたように、本発明によれば、複数の未使用の製品が包装用粘着テープによって収束されており、この包装用粘着テープの表面には、製品に関する個別情報を示す複数の表示がテープ長手方向に連続的に施されているので、例えば上記表示を「未使用」を意味する表示にすれば、開封後、当該表示を個々に分離して各製品に貼着することにより、当該製品が未使用であることを容易に視認できるようになる。これにより、個装フィルムを必要とすることなく製品の未使用／使用状態を容易に区別でき、また、包装資材の削減と生産性の向上とを図ることが可能となる。
【図面の簡単な説明】
【図１】本発明の第１の実施の形態による記録媒体製品のマルチパッケージ１０を示す斜視図である。
【図２】本発明に係る包装用粘着テープの一部表面を示す図である。
【図３】本発明に係る包装用粘着テープの一作用を説明する図である。
【図４】本発明の第２の実施の形態における包装用粘着テープの構成例を説明する図である。
【図５】本発明の第３の実施の形態における包装用粘着テープの構成例を説明する図である。
【図６】他の実施形態としてディスク状記録媒体製品のマルチパッケージへの適用例を示す斜視図である。
【図７】更に他の実施形態として乾電池製品のマルチパッケージへの適用例を示す斜視図である。
【図８】従来の記録媒体製品のマルチパッケージの一包装形態を示す斜視図である。
【図９】従来の他の記録媒体製品のマルチパッケージの一包装形態を示す斜視図である。
【図１０】未使用表示機能を付した従来のテープカセットの包装構造を示す斜視図である。
【符号の説明】
１０…マルチパッケージ、１１…テープカセット、１２…収納ケース、１３、２３，３３…包装用粘着テープ、１４、５４…包装フィルム、１５，２５，３５…ミシン目、１６，２６ａ〜２６ｅ，３６ａ〜３６ｅ…表示、５２…ディスクカートリッジ、６１…乾電池。
【図１】
2004231206.tif 000003
【図２】
2004231206.tif 000004
【図３】
2004231206.tif 000005
【図４】
2004231206.tif 000006
【図５】
2004231206.tif 000007
【図６】
2004231206.tif 000008
【図７】
2004231206.tif 000009
【図８】
2004231206.tif 000010
【図９】
2004231206.tif 000011
【図１０】
2004231206.tif 000012